(57)【要約】【課題】ケース内に浸水しても、異なる電位の導電部材同士が短絡しにくい電気接続箱を提供する。【解決手段】ケース４内には、複数のバスバ２が収容されている。ケース４は、複数のバスバ２を搭載する底壁５１と、底壁５１の周縁から立設する周壁５２と、底壁５１から立設し、複数のバスバ２の１つ１つを区切るリブ５３と、を有するロアカバー５と、ロアカバー５の開口を覆うアッパカバーから構成されている。底壁５１が、当該底壁５１から立設し、リブ５３よりも高い隔壁５４によってバスバ２の電位に応じた複数のエリアＡ１〜Ａ３に区切られ、各エリアＡ１〜Ａ３には、当該電位に応じて複数のバスバ２が搭載されている。【選択図】図２
2016007102.tif 000002
【特許請求の範囲】
【請求項１】
複数の導電部材と、前記複数の導電部材を収容するケースと、を備え、前記ケースが、前記複数の導電部材を搭載する底壁と、前記底壁の周縁から立設する周壁と、前記底壁から立設し、前記複数の導電部材の１つ１つを区切るリブと、を有する第１ケース部と、前記第１ケース部の開口を覆う第２ケース部と、から構成された電気接続箱において、
前記底壁が、当該底壁から立設し、前記リブよりも高い隔壁によって前記導電部材の電位に応じた複数のエリアに区切られ、
各エリアには、当該電位に応じて１つ又は複数の前記導電部材が搭載された
ことを特徴とする電気接続箱。
【請求項２】
前記底壁が、高圧バッテリの電極の一方に接続された導電部材が搭載される第１高圧エリアと、前記高圧バッテリの電極の他方に接続された導電部材が搭載される第２高圧エリアと、低圧バッテリの電極に接続された導電部材が搭載される低圧エリアと、に区切られ、
前記低圧エリアが、前記第１高圧エリアと前記第２高圧エリアとの間に挟まれている
ことを特徴とする請求項１に記載の電気接続箱。
【請求項３】
前記隔壁の高さは、前記ケース内空間で許容される最大高さに設けられている
ことを特徴とする請求項１又は２に記載の電気接続箱。
【発明の詳細な説明】
【技術分野】
【０００１】
本発明は、移動体としての自動車などに搭載され、バスバ（導電部材）が収容される電気接続箱に関するものである。
【背景技術】
【０００２】
移動体としての自動車には、ヘッドランプ及びテールランプなどのランプ類、電動モータ及びエアコンディション用のモータ等のモータ類、などの多種多様な電子機器が搭載されている。また、自動車には、バッテリからの電力を前述した多種多様な電子機器に分配する電気接続箱が搭載されている。
【０００３】
このような電気接続箱として、例えば、図５〜図７に示すものが考えられている（例えば特許文献１）。同図に示すように、電気接続箱１００は、バッテリから電子機器に分配される電流が流れる複数のバスバ１０１と、これらバスバ１０１を収容するケース１０２と、を備えている。
【０００４】
ケース１０２は、それぞれ絶縁性の合成樹脂で構成されたロアカバー１０３及びアッパカバー（図示せず）を有している。ロアカバー１０３は、バスバ１０１が搭載される略長方形状の底壁１０３Ａと、底壁１０３Ａの周縁から立設する周壁１０３Ｂと、底壁１０３Ａから立設し、バスバ１０１の１つ１つを区切るためのリブ１０３Ｃと、を有している。このリブ１０３Ｃによって、底壁１０３Ａにはバスバ１０１の１つ１つを嵌め込む凹部が形成される。即ち、このリブ１０３Ｃにより、バスバ１０１の位置決めを行うことができると共に、バスバ１０１同士を絶縁することができる。
【先行技術文献】
【特許文献】
【０００５】
【特許文献１】特開２００６−１６６５３３号公報
【発明の概要】
【発明が解決しようとする課題】
【０００６】
上記リブ１０３Ｃの高さは、少なくともバスバ１０１同士が確実に絶縁する「沿面距離」と「空間距離」になるように設定されていればよく、バスバ１０１を嵌め込みやすくするためになるべく低く設定されている。このため、ケース１０２内に水が浸入すると少量であってもリブ１０３Ｃの高さを超え、異なる電位のバスバ１０１同士が短絡する恐れがあった。特に、高圧バッテリの正極に接続されたバスバ１０１と高圧バッテリの負極に接続されたバスバ１０１同士が短絡すると問題である。
【０００７】
そこで、本発明は、ケース内に浸水しても、異なる電位の導電部材同士が短絡しにくい電気接続箱を提供することを課題とする。
【課題を解決するための手段】
【０００８】
上記課題を解決するためになされた請求項１記載の発明は、複数の導電部材と、前記複数の導電部材を収容するケースと、を備え、前記ケースが、前記複数の導電部材を搭載する底壁と、前記底壁の周縁から立設する周壁と、前記底壁から立設し、前記複数の導電部材の１つ１つを区切るリブと、を有する第１ケース部と、前記第１ケース部の開口を覆う第２ケース部と、から構成された電気接続箱において、前記底壁が、当該底壁から立設し、前記リブよりも高い隔壁によって前記導電部材の電位に応じた複数のエリアに区切られ、各エリアには、当該電位に応じて１つ又は複数の前記導電部材が搭載されたことを特徴とする電気接続箱に存する。
【０００９】
請求項２記載の発明は、前記底壁が、高圧バッテリの電極の一方に接続された導電部材が搭載される第１高圧エリアと、前記高圧バッテリの電極の他方に接続された導電部材が搭載される第２高圧エリアと、低圧バッテリの電極に接続された導電部材が搭載される低圧エリアと、に区切られ、前記低圧エリアが、前記第１高圧エリアと前記第２高圧エリアとの間に挟まれていることを特徴とする請求項１に記載の電気接続箱に存する。
【００１０】
請求項３記載の発明は、前記隔壁の高さは、前記ケース内空間で許容される最大高さに設けられていることを特徴とする請求項１又は２に記載の電気接続箱に存する。
【発明の効果】
【００１１】
以上説明したように請求項１記載の発明によれば、底壁が、当該底壁から立設し、リブよりも高い隔壁によって導電部材の電位に応じた複数のエリアに区切られ、各エリアには、当該電位に応じて１つ又は複数の導電部材が搭載される。従って、リブを超えるような浸水があっても隔壁を超えることができないので、ケース内に浸水しても、異なる電位の導電部材同士が短絡しにくい。
【００１２】
請求項２記載の発明によれば、低圧エリアが、第１高圧エリアと第２高圧エリアとの間に挟まれている。従って、第１高圧エリアに搭載される高圧バッテリの電極の一方に接続された導電部材と、第２高圧エリアに搭載される高圧バッテリの電極の他方に接続された導電部材と、が短絡しにくい。
【００１３】
請求項３記載の発明によれば、隔壁の高さは、ケース内空間で許容される最大高さに設けられている。従って、ケース内に浸水しても、より一層、異なる電位の導電部材同士が短絡しにくい。
【図面の簡単な説明】
【００１４】
【図１】本発明の電気接続箱を構成するロアカバー及びバスバの分解斜視図である。
【図２】図１に示すロアカバーにバスバを搭載した状態の斜視図である。
【図３】図１に示すロアカバー及びバスバの上面図である。
【図４】（Ａ）は図３のＡ−Ａ線断面図であり、（Ｂ）は図３のＢ−Ｂ線断面図であり、（Ｃ）は図３のＣ−Ｃ線断面図である。
【図５】従来の電気接続箱を構成するロアカバー及びバスバの斜視図である。
【図６】図５に示すロアカバー及びバスバの上面図である。
【図７】（Ａ）は図６のＡＡ−ＡＡ線断面図であり、（Ｂ）は図６のＢＢ−ＢＢ線断面図であり、（Ｃ）は図６のＣＣ−ＣＣ線断面図である。
【発明を実施するための形態】
【００１５】
以下、本発明の電気接続箱について図１〜図５を参照して説明する。本実施形態に係る電気接続箱は、移動体としての自動車に搭載され、高圧バッテリ、低圧バッテリからの電力が供給される電源ケーブルと、各電子機器に接続されたワイヤハーネスと、が接続され、バッテリの電圧をバスバなどにより分岐して、各種の電子機器に供給するためのものである。
【００１６】
図１などに示すように、電気接続箱１は、高圧バッテリや低圧バッテリに接続される複数のバスバ２（＝導電部材）と、複数のバスバ２の板状端子部２２のうち一部に嵌合する中継端子３と、これらバスバ２や中継端子３などを収容するケース４と、を備えている。
【００１７】
バスバ２は、金属板にプレス加工が施されて得られるものであり、後述するロアカバー５の底壁５１上に搭載される搭載部２１と、搭載部２１の端部から図示しないアッパカバーに向かって折り曲げられた板状端子部２２と、を有している。
【００１８】
中継端子３は、上記バスバ２の板状端子部２２と、リレーなどの電子部品の板状端子部（図示せず）と、を相互に接続するためのものである。ケース４は、合成樹脂から構成され、バスバ２の搭載部２１が搭載されるロアカバー５（＝第１ケース部）と、ロアカバー５の開口を覆う図示しないアッパカバー（＝第２ケース部）と、から構成されている。
【００１９】
ロアカバー５は、バスバ２の搭載部２１が搭載され、係止される略長方形状の底壁５１と、底壁５１の周縁から立設した周壁５２と、底壁５１から立設し、複数のバスバ２の１つ１つを区切るリブ５３と、底壁５１から立設した隔壁５４と、を有し、アッパカバー側が開口された受皿状に設けられている。
【００２０】
上記リブ５３は、バスバ２の搭載部２１の周縁に沿って立設するように設けられ、このリブ５３に囲まれた凹部にバスバ２の搭載部２１が嵌め込まれている。リブ５３の高さは、バスバ２同士が確実に絶縁する「沿面距離」と「空間距離」となるように設定されている。
【００２１】
また、上記底壁５１は、図２及び図３などに示すように、底壁５１から立設し、リブ５３よりも高い隔壁５４によって、バスバ２の電位に応じたエリアＡ１〜Ａ３に区切られている。本実施形態では、底壁５１は、高圧バッテリの正極（＝電極の一方）に接続された複数のバスバ２が搭載される第１高圧エリアＡ１と、高圧バッテリの負極（＝電極の他方）に接続された複数のバスバ２が搭載される第２高圧エリアＡ２と、低圧バッテリの正極又は負極に接続された複数のバスバ２が搭載される低圧エリアＡ３と、の３つのエリアに区切られている。
【００２２】
低圧エリアＡ３は、第１高圧エリアＡ１と第２高圧エリアＡ２との間に挟まれている。詳しくは、低圧エリアＡ３は、底壁５１の略中央から短手方向の一端に延在し、短手方向の他端には延在されていない。この低圧エリアＡ３の長手方向両側に第１高圧エリアＡ１及び第２高圧エリアＡ２がそれぞれ設けられている。よって、底壁５１の短手方向一端側（図面下側）においては、第１高圧エリアＡ１と第２高圧エリアＡ２との間に低圧エリアＡ３が挟まれている。一方、底壁５１の短手方向他端側（図面上側）においては、第１高圧エリアＡ１と第２高圧エリアＡ２とが隣接されている。
【００２３】
上記隔壁５４は、底壁５１から立設し、底壁５１に設けた３つのエリアＡ１〜Ａ３を区切るように立設する。隔壁５４は、各エリアＡ１〜Ａ３の境界に沿って設けられ、各エリアＡ１〜Ａ４の全周縁は隔壁５４と周壁５２とによって囲まれる。従って、図４（Ａ）及び（Ｃ）に示すように、隣接するリブ５３のうち互いにエリアＡ１〜Ａ３が異なるもの同士の間には隔壁５４が設けられ、図４（Ｂ）に示すように、隣接するリブ５３でも同じエリアＡ１〜Ａ３内の同士の間には隔壁５４が設けられていない。
【００２４】
また、この隔壁５４は、水の浸入を防ぐために孔などは設けられていない。さらに、隔壁５４は、リブ５３よりも高く設けられ、ケース４内空間で許容される最大高さに設けられている。隔壁５４は、ロアカバー５の周壁５２と同じ高さに設けるのが好ましいが、同じ高さに設けるとアッパカバーと干渉する恐れがある。ケース４内空間で許容される最大高さとは、アッパカバーと干渉しない高さの最大であり、本実施形態では、隔壁５４は周壁５２よりも僅かに低く設けられている。
【００２５】
上述した実施形態によれば、底壁５１が、当該底壁５１から立設し、リブ５３よりも高い隔壁５４によってバスバ２の電位に応じた複数のエリアＡ１〜Ａ３に区切られ、各エリアＡ１〜Ａ３には、当該電位に応じて複数のバスバ２が搭載される。従って、リブ５３を超えるような浸水があっても隔壁５４を超えることができないので、ケース４内に浸水しても、異なる電位のバスバ２同士が短絡しにくい。
【００２６】
また、上述した実施形態によれば、低圧エリアＡ３が、第１高圧エリアＡ１と第２高圧エリアＡ２との間に挟まれている。従って、第１高圧エリアＡ１に搭載される高圧バッテリの正極に接続されたバスバ２と、第２高圧エリアＡ２に搭載される高圧バッテリの負極に接続されたバスバ２と、が短絡しにくい。
【００２７】
また、上述した実施形態によれば、隔壁５４の高さは、ケース４内空間で許容される最大高さに設けられている。従って、ケース４内に浸水しても、より一層、異なる電位のバスバ２同士が短絡しにくい。
【００２８】
なお、上述した実施形態によれば、隔壁５４の高さは周壁５２よりも僅かに低くしていたが、これに限ったものではない。例えば、図示しないアッパカバーと干渉しなければ周壁５２と同じか、周壁５２よりも少し高く設けてもよい。
【００２９】
また、上述した実施形態によれば、３つのエリアＡ１〜Ａ３に分割していたが、これに限ったものではない。１つのバッテリに接続されるバスバ２しか搭載しないものであれば、そのバッテリの正極、負極の２つのエリアに区切るようにしてもよい。また、低圧エリアＡ３を低圧バッテリの正極に接続されたバスバ２が搭載されるエリアと負極に接続されたバスバ２が搭載されるエリアとの２つにさらに区切るようにしてもよい。
【００３０】
また、上述した実施形態によれば、第１高圧エリアＡ１と第２高圧エリアＡ２とは一部が隣接していたが、これに限ったものではない。低圧エリアＡ３を底壁５１の短手方向他端まで延在して、第１高圧エリアＡ１と第２高圧エリアＡ２とが隣接しないようにすることも考えられる。
【００３１】
また、上述した実施形態によれば、各エリアＡ１〜Ａ３には、複数のバスバ２が搭載されていたが、これに限ったものではない。１つのバスバ２のみが搭載されるようにしてもよい。
【００３２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  電気接続箱
２  バスバ（導電部材）
４  ケース
５  ロアカバー（第１ケース部）
５１  底壁
５２  周壁
５３  リブ
５４  隔壁
Ａ１  第１高圧エリア（エリア）
Ａ２  第２高圧エリア（エリア）
Ａ３  低圧エリア（エリア）
【図１】
2016007102.tif 000003
【図２】
2016007102.tif 000004
【図３】
2016007102.tif 000005
【図４】
2016007102.tif 000006
【図５】
2016007102.tif 000007
【図６】
2016007102.tif 000008
【図７】
2016007102.tif 000009